(57)【特許請求の範囲】
【請求項１】
１対の溝側壁と溝底壁とを有する断面溝形構造をなして水平方向に延びかつ上下方向に空間を空けて並ぶ複数の横長部材と、前記断面溝形構造をなして上下方向に延びかつ水平方向に空間を空けて並ぶ複数の縦長部材とを格子状に交差した状態に備えてなる格子形側壁を四側面に有し、各前記格子形側壁のうち前記横長部材と前記縦長部材とに囲まれた複数の開口部を通して外部から内部を視認可能であると共に、対向する二側面の前記格子形側壁を外側に二つ折りにして外面同士を重ねて箱形容器の底壁上に折り畳んだ上に、残りの二側面の前記格子形側壁を重ねて折り畳み可能な箱形容器であって、
前記四側面の間で、前記複数の横長部材の上下方向における位置は同一であり、
前記複数の横長部材の前記溝底壁は、前記四側面の全てで前記格子形側壁の外面に配置される一方、前記複数の縦長部材の前記溝底壁は、前記四側面の全てで前記格子形側壁の内面に配置され、
前記複数の横長部材及び前記複数の縦長部材の各交差部分では、前記縦長部材の前記溝底壁は分断される一方、前記横長部材の前記溝底壁と前記横長部材及び前記縦長部材の前記溝側壁とは連続し、
前記箱形容器の底壁の四側面には、前記複数の縦長部材の各前記溝側壁の延長線上に位置する複数の縦リブが備えられている箱形容器。
【請求項２】
前記格子形側壁を二つ折り可能にするヒンジ機構には、前記縦長部材同士の間、又は、前記縦長部材の溝内に受容されて、両側部を前記縦長部材に回動可能に連結されたヒンジ部材が備えられている請求項１に記載の箱形容器。
【請求項３】
前記横長部材又は前記縦長部材の一方の部材の溝底壁は、前記格子形側壁の水平方向又は上下方向の一端又は一端寄り位置から、他端又は他端寄り位置まで連続している請求項１又は２に記載の箱形容器。
【請求項４】
前記開口部の内側に、前記横長部材及び前記縦長部材から張り出すリブが備えられている請求項１乃至３の何れか１の請求項に記載の箱形容器。
【発明の詳細な説明】
【技術分野】
【０００１】
本発明は、格子形の側壁を少なくとも一部に有する箱形容器に関する。
【背景技術】
【０００２】
従来のこの種の箱形容器として、側壁に複数の四角形の貫通孔を縦横に並べて形成し、それら貫通孔から離れた縁部に補強用のリブを備えたものが知られている（例えば、特許文献１参照）。
【先行技術文献】
【特許文献】
【０００３】
【特許文献１】特開２０１３−１４３７１号公報（図１）
【発明の概要】
【発明が解決しようとする課題】
【０００４】
しかしながら、上述した従来の箱形容器の構造では、強度を高くすることが困難であった。また、強度の低下を防ぐために貫通孔を大きくしたり増やすことが困難であるため、側壁を通した荷物に対する視認性を上げることも困難であった。
【０００５】
本発明は、上記事情に鑑みてなされたもので、強度及び視認性を従来より高くすることが可能な箱形容器の提供を目的とする。
【課題を解決するための手段】
【０００６】
上記目的を達成するためになされた請求項１の発明は、１対の溝側壁と溝底壁とを有する断面溝形構造をなして水平方向に延びかつ上下方向に空間を空けて並ぶ複数の横長部材と、前記断面溝形構造をなして上下方向に延びかつ水平方向に空間を空けて並ぶ複数の縦長部材とを格子状に交差した状態に備えてなる格子形側壁を四側面に有し、各前記格子形側壁のうち前記横長部材と前記縦長部材とに囲まれた複数の開口部を通して外部から内部を視認可能であると共に、対向する二側面の前記格子形側壁を外側に二つ折りにして外面同士を重ねて箱形容器の底壁上に折り畳んだ上に、残りの二側面の前記格子形側壁を重ねて折り畳み可能な箱形容器であって、前記四側面の間で、前記複数の横長部材の上下方向における位置は同一であり、前記複数の横長部材の前記溝底壁は、前記四側面の全てで前記格子形側壁の外面に配置される一方、前記複数の縦長部材の前記溝底壁は、前記四側面の全てで前記格子形側壁の内面に配置され、前記複数の横長部材及び前記複数の縦長部材の各交差部分では、前記縦長部材の前記溝底壁は分断される一方、前記横長部材の前記溝底壁と前記横長部材及び前記縦長部材の前記溝側壁とは連続し、前記箱形容器の底壁の四側面には、前記複数の縦長部材の各前記溝側壁の延長線上に位置する複数の縦リブが備えられている箱形容器である。
【０００７】
請求項２の発明は、前記格子形側壁を二つ折り可能にするヒンジ機構には、前記縦長部材同士の間、又は、前記縦長部材の溝内に受容されて、両側部を前記縦長部材に回動可能に連結されたヒンジ部材が備えられている請求項１に記載の箱形容器である。
【０００９】
請求項３の発明は、前記横長部材又は前記縦長部材の一方の部材の溝底壁は、前記格子形側壁の水平方向又は上下方向の一端又は一端寄り位置から、他端又は他端寄り位置まで連続している請求項１又は２に記載の箱形容器である。
【００１０】
請求項４の発明は、前記開口部の内側に、前記横長部材及び前記縦長部材から張り出すリブが備えられている請求項１乃至３の何れか１の請求項に記載の箱形容器である。
【発明の効果】
【００１１】
請求項１の箱形容器では、格子形側壁を構成する複数の横長部材及び縦長部材のそのものが断面溝形構造をなして強度が高くなっているので、格子形側壁全体の強度のバランスが向上し、その結果、格子形側壁全体の強度が向上する。しかも、横長部材及び縦長部材の溝底壁とを、格子形側壁の内面と外面とに分けて配置したので、格子形側壁の厚さ方向でもバランスが向上し、例えば、格子形側壁の反りが抑えられる。また、上述の如く、格子形側壁全体の強度が向上するので、格子形側壁のうち横長部材と縦長部材とに囲まれた格子の開口部（即ち、格子の目）を大きくして、視認性及び通気性を向上させることもできる。また、横長部材と縦長部材との交差部分において縦長部材の溝底壁を分断したことで、溝底壁同士が格子形側壁の厚さ方向で重なることがなくなり、格子形側壁を樹脂の射出成形によって容易に形成することができる。それでいて、両方の部材の溝側壁は交差部分で連続しているので、それら両方の部材の長手方向の連続性が確保され、横長部材の長手方向における格子形側壁の曲げ強度も高くなる。また、箱形容器の底壁の四側面には、複数の縦長部材の各溝側壁の延長線上に位置する複数の縦リブが備えられているので、格子形側壁から箱形容器の底壁に付与される圧縮荷重をその底壁の縦リブで受けることができ、底壁の変形が抑えられる。なお、格子の開口部の内側に、横長部材及び縦長部材の溝側壁から張り出すリブが備えられていてもよい（請求項４の発明）。また、横長部材及び縦長部材の溝底壁に、貫通孔が形成されていてもよい。
【００１２】
請求項２の箱形容器では、ヒンジ機構のヒンジ部材が、両側部を縦長部材に回動可能に連結されているので、ヒンジ部材を配置するために、縦長部材の溝側壁が分断されずに済み、ヒンジ部材に対する支持強度が高くなって容器構成部品の回動動作が安定する。
【００１４】
請求項３の箱形容器のように、横長部材又は縦長部材の一方の部材の溝底壁を、格子形側壁の一端又は一端寄り位置から、他端又は他端寄り位置まで連続した構造とすることで、格子形側壁のうち一方の部材の長手方向における曲げ強度を高くすることができる。
【図面の簡単な説明】
【００１５】
【図１】本発明の一実施形態に係る箱形容器の斜視図
【図２】パレットの上面側の斜視図
【図３】パレットの下面側の斜視図
【図４】短側壁の外面側の斜視図
【図５】短側壁の内面側の斜視図
【図６】長側壁の外面側の斜視図
【図７】長側壁の内面側の斜視図
【図８】長側壁の分解斜視図
【図９】（Ａ）長側壁の外面側の一部を拡大した分解斜視図，（Ｂ）長側壁の内面側の一部を拡大した分解斜視図
【図１０】下長側壁の一部破断の斜視図
【図１１】長側壁の一部破断の斜視図
【図１２】長側壁の一部破断の斜視図
【図１３】上長側壁が折り曲げられた状態の長側壁の一部破断の斜視図
【図１４】パレット上で短側壁が起立した状態の側面図
【図１５】パレット上で短側壁と長側壁が起立した状態の側面図
【図１６】短側壁と長側壁との連結部分の一部を拡大した側面図
【図１７】短側壁と長側壁との連結部分の一部破断の側面図
【図１８】短側壁と長側壁との連結部分の一部破断の斜視図
【図１９】短側壁と長側壁との連結部分の一部破断の側面図
【図２０】短側壁と長側壁との連結部分の一部破断の側面図
【図２１】短側壁と長側壁との連結部分の一部破断の側面図
【図２２】上長側壁を開いた状態の箱形容器の斜視図
【図２３】折り畳む途中の箱形容器の斜視図
【図２４】折畳状態の箱形容器の斜視図
【図２５】折畳状態の箱形容器の一部を拡大した斜視図
【発明を実施するための形態】
【００１６】
以下、本発明の一実施形態を図１〜図２５に基づいて説明する。図１に示した本実施形態の箱形容器１０は、所謂、「折り畳み式のボックスパレット」であって、パレット１１の上縁部に１対の短側壁２０，２０と１対の長側壁３０，３０とを回動可能に組み付けてなる。また、これら箱形容器１０を構成するパレット１１、短側壁２０及び長側壁３０等の容器構成部品は、何れも、例えばガラス長繊維を含んだ樹脂の射出成形品になっている。
【００１７】
図２に示すように、パレット１１は、平面形状が長方形の底板部１２（本発明に係る「箱形容器の底壁」に相当する）の下面四隅から桁部１３が突出した構造をなし、それら桁部１３によって底板部１２の下方にフォークリフトのフォークが挿入される空間が形成されるようになっている。底板部１２は、その長辺方向に延びる複数の横梁１４と短辺方向に延びる複数の縦梁１５とを交差させた格子構造をなしている。図３に示すように、横梁１４及び縦梁１５は、断面溝形構造をなし、それらの溝開口１４Ａ，１５Ａは、共に下方を向いている。また、横梁１４と縦梁１５とが交差部には、その対角線上に十字状の補強リブ１２Ａが備えられている。
【００１８】
なお、底板部１２の外縁部に位置する横梁１４及び縦梁１５の溝の内部には、補強リブ１２Ｂが備えられている。また、図２に示すように、横梁１４及び縦梁１５の溝底壁１４Ｂ，１５Ｂには、複数の貫通孔１２Ｃが形成されている。
【００１９】
図３に示すように、桁部１３は、底板部１２の角部より僅かに内側に位置した部分に配置された角筒形柱１３Ａの２つの外側面に複数の側面リブ１３Ｂを形成してなり、その側面リブ１３Ｂ群の外面が底板部１２の側面と面一になっている。また、側面リブ１３Ｂには、角筒形柱１３Ａの下端部より僅かの上方となる位置から側方に張り出した底板１３Ｃが含まれ、その底板１３Ｃによって桁部１３全体の下面が構成されている。よって、桁部１３全体の下面は、その一角部寄り位置から角筒形柱１３Ａが突出した構造になっている。また、桁部１３全体の下面のうち角筒形柱１３Ａから離れた２辺の外縁寄り位置には下面突起１３Ｄ，１３Ｄが備えられてる。また、それら下面突起１３Ｄの突出量は角筒形柱１３Ａより小さくなっている。
【００２０】
図２に示すように、底板部１２の上面における１対の長辺側の外縁部からは、１対の長辺土手部１６，１６が突出し、１対の短辺側の外縁部からは、１対の短辺土手部１７，１７が突出している。短辺土手部１７は、全体に亘って均一な高さをなし、長辺土手部１６全体より高くなっている。短辺土手部１７及び長辺土手部１６の詳細構造は、短側壁２０及び長側壁３０と併せて後に詳説する。
【００２１】
短側壁２０は、本発明に係る「格子形側壁」に相当し、図４に示すように、水平方向の延びる複数の横長部材２４と上下方向に延びる複数の縦長部材２５とを交差した状態にして備えた格子構造をなしている。複数の横長部材２４は、上下方向で対向する１対の溝側壁２４Ａ，２４Ａの間を溝底壁２４Ｂで閉塞してなる角溝構造をなし、一定の間隔を空けて上下方向に並んでいる。また、横長部材２４群の上側には、２つの特別横長部材２４Ｅが備えられ、横長部材２４群の下側には、１つの特別横長部材２４Ｆが備えられている。それら特別横長部材２４Ｅ，２４Ｆも、１対の溝側壁２４Ａ，２４Ａの間を溝底壁２４Ｂで閉塞した角溝構造をなしている。そして、上側の２つの特別横長部材２４Ｅ，２４Ｅと上端の横長部材２４とが、隣り合わせに設けられて溝側壁２４Ａを共有し、これ同様に、下側の特別横長部材２４Ｆと下端の横長部材２４とが隣り合わせに設けられて溝側壁２４Ａを共有している。また、下側の特別横長部材２４Ｆと上から２番目の特別横長部材２４Ｅの溝底壁２４Ｂは、短側壁２０の内面側に配置され、上端の特別横長部材２４Ｅと全ての横長部材２４の溝底壁２４Ｂは、短側壁２０の外面側に配置されている。なお、下端の特別横長部材２４Ｆは、上側の特別横長部材２４Ｅ及び横長部材２４に比べて上下方向の幅が小さくなっている。
【００２２】
短側壁２０の横方向の両端寄り位置は、上下方向に延びた第１サイドリブ２６Ａ，２６Ａが備えられている。そして、特別横長部材２４Ｅ，２４Ｆ及び横長部材２４の全ての溝側壁２４Ａ及び溝底壁２４Ｂが、１対の第１サイドリブ２６Ａ，２６Ａの間で連続して延びている。また、第１サイドリブ２６Ａ，２６Ａにおける短側壁２０の内面側の縁部からは側方に第２サイドリブ２６Ｂ，２６Ｂが張り出していて、横長部材２４の溝側壁２４Ａから延長された複数の横リブ２６Ｃによって第１サイドリブ２６Ａと第２サイドリブ２６Ｂとが接続されている。
【００２３】
図５に示すように、第１サイドリブ２６Ａより短側壁２０の横方向の中央側に寄った位置には、上下方向に延びた縦リブ２９Ｌが２つずつ設けられている。そして、それら縦リブ２９Ｌ，２９Ｌ同士又は縦リブ２９Ｌと第１サイドリブ２６Ａとに横方向から挟まれかつ、横長部材２４，２４同士に上下方向から挟まれた各セルには、短側壁２０の内面側を覆う補強壁２９が備えられ、それら補強壁２９にそれぞれ貫通孔２９Ａが形成されている。
【００２４】
複数の縦長部材２５は、短側壁２０における左右の縦リブ２９Ｌ，２９Ｌの間に間隔を空けて配置されている。また、図４に示すように、各縦長部材２５は、横方向で対向する１対の溝側壁２５Ａ，２５Ａの間を溝底壁２５Ｂで閉塞した角溝構造をなし、それら縦長部材２５の溝底壁２５Ｂは、全て短側壁２０の内面側に配置されている。また、図５に示すように、縦長部材２５のうち横長部材２４と交差する部分においては、溝底壁２５Ｂが分断され、溝側壁２５Ａ，２５Ａのみが備えられて横長部材２４内を横切っている。さらに、上側の特別横長部材２４Ｅ，２４Ｅにおいては、縦長部材２５の溝側壁２５Ａ以外に補強リブ２５Ｈが内側を横切っている。
【００２５】
なお、特別横長部材２４Ｅ，２４Ｆ、横長部材２４及び縦長部材２５の各溝底壁２４Ｂ、２５Ｂには、それぞれ複数の丸孔２４Ｃや長孔２４Ｄ，２５Ｄが形成されている。
【００２６】
図５に示すように、第２サイドリブ２６Ｂ，２６Ｂの内面全体は、横長部材２４及び縦長部材２５からなる短側壁２０の本体部分の内面より突出して、縦長ブロック状の連結ブロック２７，２７になっている。また、連結ブロック２７のうち上下方向の略中央部より上側には、上端部を含む複数位置に係合凹部２７Ａが形成されている。図１８に示すように、係合凹部２７Ａは、連結ブロック２７を幅方向を横切るように切除してなる。また、図１４に示すように、係合凹部２７Ａの下面２７Ｃのうち係合凹部２７Ａの内側面２７Ｄから離れた側の縁部からは係合突部２８が起立していて、図１８に示すように、係合突部２８の上端部のうち縦リブ２９Ｌ側の上端角部が切除されて係合段差部２８Ａになっている。
【００２７】
図５に示すように、連結ブロック２７のうち短側壁２０の本体部分の内面と平行になった面には、上端寄り位置と下端寄り位置とに、それぞれ縦長の係合溝２７Ｍ，２７Ｎが設けられている。また、連結ブロック２７のうち縦リブ２９Ｌ側を向いた面の下端部には、縦長の長方形の陥没部２７Ｌが形成され、その陥没部２７Ｌに１対の縦長の結合孔２７Ｋ，２７Ｋが備えられている。１対の結合孔２７Ｋ、２７Ｋは、上下に並べて設けられ、それぞれ連結ブロック２７を幅方向に貫通していている（図１５参照）。
【００２８】
図４に示すように、短側壁２０の下面からは、複数のヒンジアーム２１，２１が垂下されている。各ヒンジアーム２１は、下端の特別横長部材２４Ｆの溝底壁２４Ｂから延長された帯板２１Ｂの外面にリブを備えてなり、両側面の下端部にヒンジ突起２１Ａ，２１Ａを備えている。これらヒンジアーム２１に対して、図２に示すようにパレット１１の短辺土手部１７にはアーム受容部１７Ａが形成されている。アーム受容部１７Ａは、短辺土手部１７の内面と上面とに開放した溝状をなしかつ、１対の内側面に係合溝１７Ｍ，１７Ｍを有する。そして、係合溝１７Ｍ，１７Ｍにヒンジアーム２１のヒンジ突起２１Ａ，２１Ａが係合し、ヒンジ突起２１Ａを中心にして短側壁２０が回動して、図２３に示すように、短辺土手部１７上に起立した起立姿勢と、図２４に示すように、パレット１１の底板部１２上に倒れた折畳姿勢とに変更される。なお、係合溝１７Ｍの上端部は幅狭になっていてヒンジ突起２１Ａが上方に抜け難くなっている。
【００２９】
図４に示すように、短側壁２０の下面からは、ヒンジアーム２１，２１以外に複数の嵌合突片２２が突出している。それら嵌合突片２２の短側壁２０から下方への突出量は、ヒンジアーム２１より小さくなっている。また、図２に示すように、短辺土手部１７には、嵌合突片２２に対応して、複数の嵌合凹部１７Ｂが形成されている。そして、短側壁２０を起立姿勢にして持ち上げ、嵌合突片２２を嵌合凹部１７Ｂに上方から凹凸係合させて短側壁２０が起立姿勢に保持される。
【００３０】
また、図１に示すように、短側壁２０の上面における横方向の両端寄り位置には、上面の外面とに開放した上面凹部２０Ｋ，２０Ｋが形成されている。さらに、次述する長側壁３０の上面における横方向の両端寄り位置にも同様の上面凹部３０Ｋが形成されている。
【００３１】
なお、短辺土手部１７には、短側壁２０における各縦長部材２５の溝側壁２５Ａの下方延長線上に位置する複数の縦リブ１７Ｌが備えられている。また、長辺土手部１６にも同様に、次述する長側壁３０における各縦長部材２５の溝側壁２５Ａの下方延長線上に位置する複数の縦リブ１６Ｌが備えられている。また、これら縦リブ１６Ｌ，１７Ｌは、底板部１２の外縁に配置された複数の補強リブ１２Ｂ（図３参照）に対しても一直線上に並んでいる。これらにより、短側壁２０及び長側壁３０からパレット１１の底板部１２に付与される圧縮荷重を底板部１２の縦リブ１６Ｌ，１７Ｌで受けることができ、底板部１２の変形が抑えられる。
【００３２】
図６に示すように、長側壁３０は、上長側壁３１と下長側壁３２とをヒンジ部材３３にて連結してなる。上長側壁３１及び下長側壁３２は、共に、本発明に係る「格子形側壁」に相当し、図８に示すように、前述した短側壁２０と同様に複数の横長部材２４と複数の縦長部材２５とが交差した格子構造をなしている。また、上長側壁３１の縦長部材２５と下長側壁３２の縦長部材２５とは、同一直線上に配置されている。さらに、図６に示すように、長側壁３０においても、短側壁２０と同様に、全ての横長部材２４の溝底壁２４Ｂが長側壁３０の外面側に配置され、全ての縦長部材２５の溝底壁２５Ｂが長側壁３０の内面側に配置されている。さらには、長側壁３０の上部と下部とに特別横長部材２４Ｅ，２４Ｆが備えられている点、溝底壁２４Ｂ，２５Ｂに丸孔２４Ｃ、長孔２４Ｄ，２５Ｄが形成されている点等も短側壁２０と共通している。
【００３３】
下長側壁３２の下面からは、短側壁２０と同様に、複数のヒンジアーム４０が垂下され、各ヒンジアーム４０の下端部から側方に突出したヒンジ突起４０Ａ，４０Ａが、図２に示したパレット１１の長辺土手部１６に形成されているアーム受容部１６Ａの係合溝１６Ｍ，１６Ｍに係合している。そして、下長側壁３２が、ヒンジ突起４０Ａを中心にして回動し、図２２に示すように、パレット１１の長辺土手部１６上に起立した起立姿勢と、パレット１１上に重ねられた折畳姿勢（図２３参照）とに変更される。また、図６に示すように長側壁３０の下面からも、複数の嵌合突片４１が突出している。これに対し、図２に示すように、長辺土手部１６には、内面と上面とに開放した複数の嵌合凹部１６Ｃが形成されていて、長側壁３０を起立姿勢にしたときに、嵌合突片４１が嵌合凹部１６Ｃに長辺土手部１６の内面側から収まる。
【００３４】
図６に示すように、上長側壁３１及び下長側壁３２の横方向の両端部には、それぞれ上下方向に延びた１対のサイドリブ３６，３６が備えられ、後述する一部の横長部材２４を除き、上長側壁３１及び下長側壁３２の複数の横長部材２４の溝側壁２４Ａ及び溝底壁２４Ｂが、１対のサイドリブ３６，３６の間で連続して延びている。また、図７に示すように、上長側壁３１及び下長側壁３２には、両端の縦長部材２５とサイドリブ３６との間に、それぞれ上下方向に延びた縦リブ３７が備えられている。そして、縦リブ３７と縦長部材２５との間、又は、縦リブ３７とサイドリブ３６との間に横方向から挟まれかつ、横長部材２４，２４に上下方向から挟まれた各セルには、長側壁３０の内面側から覆う補強壁３８が備えられ、それら補強壁３８にそれぞれ貫通孔３８Ａが形成されている。
【００３５】
図８に示すように、下長側壁３２においては、後述する連結梁６０が最上部に配置されて左右方向に延び、その連結梁６０から間隔を空けた下方に複数の横長部材２４における上端の横長部材２４が配置されている。また、図６に示すように、下長側壁３２においては、上端の横長部材２４のみが縦リブ３７，３７迄の長さになっていて、その横長部材２４の先方には、その横長部材２４の下側の溝側壁２４Ａから延長された横リブ２４Ｖと連結梁６０と縦リブ３７とサイドリブ３６とに四方を囲まれた矩形のスライダ収容部屋３０Ｒが設けられ、その内部に係合スライダ３４が収容されている。
【００３６】
図１５に示すように、係合スライダ３４は、縦長の筐体部３４Ａからサイドリブ３６側に係合突片３４Ｂが突出した構造をなしている。そして、サイドリブ３６に形成された縦長のスリット３０Ｓ（図１０参照）に係合突片３４Ｂが挿入され、スライダ収容部屋３０Ｒ内の上下の両面に形成されたガイド突条４６Ｔ，４６Ｔに係合スライダ３４が係合して横方向にスライドする。なお、スリット３０Ｓの開口縁からはスライダ収容部屋３０Ｒの内側に補強突壁３０Ｕが張り出している。
【００３７】
また、図１０に示すように、スライダ収容部屋３０Ｒの内面側を閉塞している補強壁３８には、その一部を片持ち梁状に切り離して係止突片４５が形成され、その係止突片４５の先端部の突起が係合スライダ３４と係合して、係合スライダ３４が、可動範囲のサイドリブ３６側に位置した係合位置と、縦リブ３７側に位置した係合解除位置とに係止される。そして、図１５に示すように、係合スライダ３４が係合解除位置に配置されると、係合突片３４Ｂがサイドリブ３６より内側に引っ込んだ状態になり、係合スライダ３４が係合位置に配置されると、係合突片３４Ｂがサイドリブ３６から外側に突出する。
【００３８】
図６に示すように、下長側壁３２には、横方向の両端の下端角部を、略長方形に切除してコーナー凹部３２Ｎ，３２Ｎが形成されている。また、各コーナー凹部３２Ｎの上隣には、下長側壁３２の側面下端部から側方に突出した角筒状のサイド下端突部４２が備えられている。これらに対し、図２に示すように、長辺土手部１６の両端部では、下側突部１６Ｄが段付き状に上方に突出すると共に、短辺土手部１７から下側突部１６Ｄの上方に上側突部１６Ｅが張り出している。また、下側突部１６Ｄと上側突部１６Ｅとの間に突部受容部１６Ｂが形成されている。そして、図１５に示すように、下長側壁３２が起立姿勢になると、コーナー凹部３２Ｎに下側突部１６Ｄが嵌合し、突部受容部１６Ｂにサイド下端突部４２が収まる。
【００３９】
また、図１０に示すように、下長側壁３２の側面のうちサイド下端突部４２とスリット３０Ｓとの間には、サイド係合部４３が設けられている。サイド係合部４３は、下長側壁３２の側面の内縁部から側方に張り出す縦長の突片４３Ｂの外面に、１対の縦長突部４３Ａ，４３Ａを縦並びに備えた構造をなしている。そして、図１５に示すように、短側壁２０と下長側壁３２とが起立姿勢になったときに、サイド係合部４３の縦長突部４３Ａ，４３Ａが短側壁２０における連結ブロック２７の結合孔２７Ｋ，２７Ｋに嵌合しかつ、図２１に示すように連結ブロック２７の陥没部２７Ｌにサイド係合部４３の突片４３Ｂが収まる。また、この状態で、係合スライダ３４を係合位置に配置すると、係合突片３４Ｂが連結ブロック２７の係合溝２７Ｎに凹凸係合する。
【００４０】
図６に示すように、上長側壁３１においては、両端より１つ内側の２つの縦長部材２５，２５は、上から１番目と２番目の横長部材２４，２４の間で切除されている。これにより、上長側壁３１に持手部３０Ｈ，３０Ｈが形成されている。また、上長側壁３１においては、上端の横長部材２４の両端部が縦リブ３７，３７迄となっていて、その横長部材２４の両端の先方には、下長側壁３２と同様にスライダ収容部屋３０Ｒが設けられ、そこに係合スライダ３４が収容されている。
【００４１】
また、上長側壁３１の両側面には、短側壁２０の複数の係合凹部２７Ａに対応して、複数の係合突部４４が設けられている。係合突部４４は、側方に突出して下方に直角に曲がったフック形状の本体部を有し、そのうち本体部のうち下方に突出した垂下突部４４Ａとサイドリブ３６との間に当接壁４４Ｂを備えている。また、図７に示すように、当接壁４４Ｂは、補強壁３８から延設されて、上長側壁３１の内面側の端部に位置すると共に、図１８に示すように、当接壁４４Ｂの下端部が、垂下突部４４Ａの下端部より上側に位置している。そして、短側壁２０及び長側壁３０が共に起立姿勢となった状態で、図１５に示すように、係合突部４４が連結ブロック２７の係合凹部２７Ａに受容され、垂下突部４４Ａが係合凹部２７Ａの内側面２７Ｄと係合突部２８との間に受容される。このとき、上長側壁３１が下長側壁３２に対して後述する下端位置に配置されていると、図１９に示すように当接壁４４Ｂが係合突部２８の係合段差部２８Ａに係合し、上長側壁３１の外側への回動を規制する。この状態で、係合スライダ３４が係合位置に配置されると、係合突片３４Ｂが短側壁２０の係合溝２７Ｍに凹凸係合する。また、係合スライダ３４が係合解除位置に配置されて、上長側壁３１が下長側壁３２に対して後述する上端位置に配置されると、図２０に示すように当接壁４４Ｂと係合突部２８の係合段差部２８Ａとの係合が解除されて、図２１に示すように、上長側壁３１の外側への回動が許容される。
【００４２】
上長側壁３１と下長側壁３２との結合部分は、以下のようになっている。図８に示すように、上長側壁３１の下端部においては、縦長部材２５、サイドリブ３６及び縦リブ３７が下端の横長部材２４より下方に突出している。また、上長側壁３１には、全部で例えば８つの縦長部材２５が備えられていて、それら複数の縦長部材２５の下端部の隣に１つおきにヒンジ凹部４７が設けらている。具体的には、上長側壁３１の下端部のうち両端の縦長部材２５と縦リブ３７との間、両端から２番目と３番目の縦長部材２５，２５の間、中央の２つの縦長部材２５，２５の間のぞれぞれにヒンジ凹部４７が設けられている。
【００４３】
図９（Ａ）に示すように、各ヒンジ凹部４７には、横方向で対向する対向面から１対のヒンジピン４８，４８が突出している。また、ヒンジピン４８は、丸棒における１８０度離れた２位置に平面を形成した形状をなし、上長側壁３１が起立した状態でそれら平面が上下に配置される。また、図９（Ｂ）に示すように、上長側壁３１の内面側においては、ヒンジ凹部４７の上端部の間に補強壁４７Ａが差し渡されている。
【００４４】
図８に示すように、上長側壁３１の下端部のうちヒンジ凹部４７が設けられていない部分、即ち、サイドリブ３６と縦リブ３７との間、両端から１番目と２番目の縦長部材２５，２５の間、両端から３番目と４番目の縦長部材２５，２５の間のぞれぞれが回動規制部４９になっている。
【００４５】
図９（Ａ）に示すように、縦長部材２５，２５同士の間の回動規制部４９は、それら縦長部材２５，２５の間の空間の下面と内面とが壁で閉塞されたセル構造部分を有し、その下面を閉塞する壁のうち内面寄り位置から矩形の上側結合突部５０が突出した構造をなしている。また、図９（Ｂ）に示すように、各縦長部材２５の下端寄り位置で溝底壁２５Ｂが溝側壁２５Ａ，２５Ａの間へと直角曲げされてからさらに下方に直角曲げされてＬ形補強壁４９Ａが形成されている。これにより、各縦長部材２５の下端部に、上側結合凹部５１が備えられている。また、図８に示すように、サイドリブ３６と縦リブ３７との間の回動規制部４９は、サイドリブ３６と縦リブ３７の間の空間の下面と内面とが壁で閉塞されたセル構造部を有し、その下面を閉塞する壁のうち内面寄り位置から上側結合突部５０が突出した構造をなしている。
【００４６】
図１１に示すように、ヒンジ凹部４７には、ヒンジ部材３３の上端部が受容されている。図９（Ｂ）に示すように、ヒンジ部材３３は、上下方向に延びた直方体状の本体部３３Ｈを備え、その本体部３３Ｈの両側面における上端部から１対のヒンジスリーブ５４，５４が突出すると共に、本体部３３Ｈの両側面における下端部から１対のヒンジピン５５，５５が突出した構造をなしている。ヒンジスリーブ５４は、円筒体の周方向の一部を切除して長側壁３０の内面側に向かって開放した側面開口５４Ａを設け、その側面開口５４Ａの上下の開口縁から１対の突片５４Ｂ，５４Ｂを突出させた形状をなしている。そして、図１１に示すように、ヒンジ凹部４７のヒンジピン４８が側面開口５４Ａからヒンジスリーブ５４内に受けれられてヒンジ部材３３の上端部が上長側壁３１の下端部に回動可能に連結されている。なお、突片５４Ｂ，５４Ｂの対向面には、ヒンジピン４８を抜け止めするための突起５４Ｃ，５４Ｃ（図１１参照）が形成されている。
【００４７】
図９（Ｂ）に示すように、ヒンジピン５５は、丸棒における１８０度離れた２位置に平面を形成した形状をなし、ヒンジスリーブ５４の真下にヒンジピン５５が位置した状態で、ヒンジピン５５の２つの平面は、水平方向に対して傾斜した方向に並んだ状態になる。
【００４８】
図８に示すように、下長側壁３２の上端部を横切る連結梁６０は、断面四角形の部材に前述した上長側壁３１の上側結合突部５０、上側結合凹部５１、ヒンジ凹部４７に対応する下側結合凹部５３、下側結合突部５２及びヒンジ凹部５６を備えた構造をなしている。図１０に示すように、下長側壁３２の下側結合凹部５３は、長側壁３０の上面と内面とに開口していて、図１１に示すように、この下側結合凹部５３に上長側壁３１の上側結合突部５０が凹凸係合する。
【００４９】
また、図１０に示すように、下長側壁３２の下側結合突部５２は、連結梁６０の上面から突出し、下長側壁３２の内面側が開口した直方体構造をなし、図１１に示すように、この下側結合突部５２に上長側壁３１の上側結合凹部５１が凹凸係合する。
【００５０】
さらに、図１０に示すように下長側壁３２のヒンジ凹部５６は、連結梁６０の内面と上面とに開放し、１対の内側面に係合溝５６Ｍ，５６Ｍを有する。また、係合溝５６Ｍの上端部には、突部５６Ｔ，５６Ｔが備えられている。そして、それら係合溝５６Ｍ，５６Ｍに、ヒンジ部材３３のヒンジピン５５，５５が上下動可能かつ回動可能に係合してスライドヒンジ機構が構成されている（図１１〜図１３参照）。また、図１１に示すように、ヒンジピン５５が、係合溝５６Ｍ内で突部５６Ｔ，５６Ｔから離間して、上長側壁３１がスライドヒンジ機構による上下の可動範囲の下端位置に配置された状態となり、図１２に示すように、ヒンジピン５５が、係合溝５６Ｍ内で突部５６Ｔ，５６Ｔに近接して、上長側壁３１がスライドヒンジ機構による上下の可動範囲の上端位置に配置された状態となる。なお、上長側壁３１が下端位置に配置されたときには（図１１参照）、上長側壁３１の下面が下長側壁３２の上面に当接し、ヒンジピン５５が係合溝５６Ｍ内で浮いた状態になる。これにより、上長側壁３１が上方から受ける圧縮荷重がヒンジ部材３３にかかることがなくなる。
【００５１】
本実施形態の箱形容器１０の構成に関する説明は以上である。次に、この箱形容器１０の作用効果について説明する。本実施形態の箱形容器１０は、図１に示した組立状態にして、全ての係合スライダ３４を係合位置に配置すると、短側壁２０と長側壁３０とが、互いに結合した状態に固定される。このとき、図１９に示すように、上長側壁３１の当接壁４４Ｂと短側壁２０の係合突部２８との係合によって下長側壁３２に対する上長側壁３１の箱形容器１０外への回動が規制される。これにより、短側壁２０と長側壁３０とが強固に結合された状態に保持される。
【００５２】
なお、箱形容器１０は、組立状態になると、１対の短側壁２０，２０の横長部材２４と１対の長側壁３０，３０（上長側壁３１及び下長側壁３２）の横長部材２４とが同じ高さに配置されて矩形環状に繋がる。また、組立状態の箱形容器１０が段積みされると、上側の箱形容器１０の角筒形柱１３Ａ（図３参照）の下端部が、下側の箱形容器１０の角部内側に嵌合され、上側の箱形容器１０の下面突起１３Ｄ，１３Ｄが下側の箱形容器１０の上面凹部２０Ｋ，３０Ｋに凹凸係合する。
【００５３】
上長側壁３１の係合スライダ３４を係合解除位置に配置し、上長側壁３１を下長側壁３２に対して持ち上げて上端位置に移動すると、図１２に示すように、上長側壁３１の下面と下長側壁３２の上面とが離間し、上側結合突部５０と下側結合凹部５３、及び、上側結合凹部５１と下側結合突部５２の凹凸係合が浅くなり、さらには、図１６に示すように、上長側壁３１の当接壁４４Ｂと短側壁２０の係合突部２８との係合が解除され、図２１に示すように、下長側壁３２に対する上長側壁３１の箱形容器１０外への回動が可能になる。これにより、図２２に示すように、長側壁３０における上長側壁３１のみを外側に開いた状態にして、荷物の出し入れを容易に行うことができる。
【００５４】
図１に示した組立状態から上長側壁３１及び下長側壁３２の係合スライダ３４を共に係合解除位置に配置すると、図１７に示すように、長側壁３０の下端部を中心して長側壁３０の全体を箱形容器１０内に倒すことができる。その際、図２３に示すように、長側壁３０を折り曲げて、下長側壁３２の外面に上長側壁３１の外面を重ねるように２つ折りにして寝かせることで、２つの長側壁３０，３０をパレット１１の底板部１２上に並べて配置することができる。そして、その上に短側壁２０，２０を順次倒して重ねれば、箱形容器１０全体が折畳状態になる。なお、この状態で、図２５に示すように、上側の短側壁２０のうち連結ブロック２７における係合突部２８を有した小ブロック部２７Ｖが、下側の短側壁２０における側縁部に備えた受容凹部３０Ｖに収まる。
【００５５】
また、折畳状態の箱形容器１０（図２４参照）の上に別の箱形容器１０が段積みされた際には、上側の箱形容器１０の角筒形柱１３Ａ（図３参照）の下端部が、下側の箱形容器１０の短辺土手部１７と上側突部１６Ｅ（図２４参照）との角部内側に嵌合され、上側の箱形容器１０の下面突起１３Ｄが下側の箱形容器１０の嵌合凹部１７Ｂに凹凸係合する。即ち、嵌合凹部１７Ｂが短側壁２０の嵌合突片２２（図４参照）との嵌合相手と下面突起１３Ｄの嵌合相手とに兼用されている。
【００５６】
上述したように本実施形態の箱形容器１０は、折り畳み可能であるため、不使用時の省スペース化を図ることができる。また、短側壁２０及び長側壁３０（以下、適宜、単に「側壁２０，３０」という）が格子構造であるので、内部の荷物を外から容易に視認することができる。これらに加え、本実施形態の箱形容器１０では、格子構造の側壁２０，３０を構成する複数の横長部材２４及び縦長部材２５のそのものが断面溝形構造をなして強度が高くなっているので、側壁２０，３０の全体の強度のバランスが向上し、その結果、側壁２０，３０の全体の強度が向上する。しかも、横長部材２４の溝底壁２４Ｂと縦長部材２５の溝底壁２５Ｂとを、側壁２０，３０の内面と外面とに分けて配置したので、側壁２０，３０の厚さ方向でもバランスが向上し、例えば、側壁２０，３０の反りを抑えることもできる。また、横長部材２４の溝側壁２４Ａ，２４Ａ及び溝底壁２４Ｂを、側壁２０，３０の横方向の略全体で連続した構造としたので、側壁２０，３０の横方向の曲げ強度を高くすることができる。さらには、縦長部材２５の溝底壁２５Ｂを横長部材２４との交差部分で分断した構造とすることで、横長部材２４の溝底壁２４Ｂと縦長部材２５の溝底壁２５Ｂとが側壁２０，３０の厚さ方向で重ならなくなり、側壁２０，３０を樹脂の射出成形によって容易に形成することができる。その上、縦長部材２５の溝側壁２５Ａ，２５Ａは横長部材２４の交差部分に備えたので、縦長部材２５の長手方向の連続性も確保されて、側壁２０，３０の上下方向における曲げ強度も高くなる。また、上述の如く、側壁２０，３０の全体の強度が向上するので、側壁２０，３０の格子の目を大きくして、視認性及び通気性を向上させることもできる。さらには、上長側壁３１と下長側壁３２とを回動可能に連結するヒンジ部材３３が、両側部を縦長部材２５，２５に回動可能に連結されているので、ヒンジ部材３３を配置するために縦長部材２５の溝側壁２５Ａが分断されずに済み、ヒンジ部材３３に対する支持強度が高くなって上長側壁３１の回動動作が安定する。
【００５７】
［他の実施形態］
本発明は、前記実施形態に限定されるものではなく、例えば、以下に説明するような実施形態も本発明の技術的範囲に含まれ、さらに、下記以外にも要旨を逸脱しない範囲内で種々変更して実施することができる。
【００５８】
（１）前記実施形態では、折り畳み式のボックスパレットに本発明を適用した例を示したが、折り畳み不能なボックスパレットや、底部がパレット構造になっていない、通常の箱形容器に本発明を適用してもよい。
【００５９】
（２）前記実施形態の箱形容器１０では、全ての側壁２０，３０が「格子形側壁」になったいたが、一部の側壁のみが格子形側壁になっているものに本発明を適用してもよい。
【００６０】
（３）前記実施形態の箱形容器１０では、全ての側壁２０，３０において、横長部材２４の溝底壁２４Ｂが箱形容器１０の外側に配置される一方、縦長部材２５の溝底壁２５Ｂが箱形容器１０の内側に配置されていたが、それとは逆に、横長部材２４の溝底壁２４Ｂが箱形容器１０の内側に配置される一方、縦長部材２５の溝底壁２５Ｂが箱形容器１０の外側に配置されていてもよい。また、箱形容器１０が、横長部材２４の溝底壁２４Ｂが箱形容器１０の外側に配置された側壁と、縦長部材２５の溝底壁２５Ｂが箱形容器１０の外側に配置された側壁との両方を有する構成としてもよい。
【符号の説明】
【００６１】
１０    箱形容器
１２    底板部（箱形容器の底壁）
１６Ｌ，１７Ｌ    縦リブ
２０    短側壁
２４    横長部材
２４Ａ，２５Ａ    溝側壁
２４Ｂ，２５Ｂ    溝底壁
２５    縦長部材
３０    長側壁
３１    上長側壁
３２    下長側壁
３３    ヒンジ部材
【図１】
0006800516.tif 000002
【図２】
0006800516.tif 000003
【図３】
0006800516.tif 000004
【図４】
0006800516.tif 000005
【図５】
0006800516.tif 000006
【図６】
0006800516.tif 000007
【図７】
0006800516.tif 000008
【図８】
0006800516.tif 000009
【図９】
0006800516.tif 000010
【図１０】
0006800516.tif 000011
【図１１】
0006800516.tif 000012
【図１２】
0006800516.tif 000013
【図１３】
0006800516.tif 000014
【図１４】
0006800516.tif 000015
【図１５】
0006800516.tif 000016
【図１６】
0006800516.tif 000017
【図１７】
0006800516.tif 000018
【図１８】
0006800516.tif 000019
【図１９】
0006800516.tif 000020
【図２０】
0006800516.tif 000021
【図２１】
0006800516.tif 000022
【図２２】
0006800516.tif 000023
【図２３】
0006800516.tif 000024
【図２４】
0006800516.tif 000025
【図２５】
0006800516.tif 000026